(57)【要約】 【課題】  ズボンのループ間の様々な距離に適合でき、その使用時の長さを調節し、その外見を美しく見せる締め付け装置を提供する。【解決手段】  本発明の衣類の締め付け装置は、２つ部品（１、２）から構成される中央要素を有する。前記２つ部品（１、２）は、それぞれ、前記締め付け装置を衣類のループ（４）に固定する手段（５）を有する。前記部品（１、２）は、弾性要素（３）で、互いに連結される。前記弾性要素（３）は、前記部品（１、２）上で調整可能に固定配置される。前記弾性要素（３）により、前記締め付け装置の有効長さが変化し、前記有効長さから、前記弾性要素（３）自体の弾性変形により、前記締め付け装置の長さが、更に変化する。【選択図】  図２
2010516418.tif 000002
【特許請求の範囲】
【請求項１】
衣類を身体へ締め付ける装置において、
２つ部品（１、２）から構成される中央要素を有し、
前記２つ部品（１、２）は、それぞれ、前記締め付け装置を衣類のループ（４）に係合する手段（５）を有し、
前記部品（１、２）は、弾性要素（３）で、互いに連結され、
前記弾性要素（３）は、前記部品（１、２）上で調整可能に配置固定され、
前記弾性要素（３）により、前記締め付け装置の有効長さが変化し、前記有効長さから、前記弾性要素（３）自体の弾性変形により、前記締め付け装置の長さが、更に変化できる
ことを特徴とする衣類を身体へ締め付ける装置。
【請求項２】
前記締め付け装置を衣類のループに固定する手段は、フック（５）で形成され、
前記フック（５）は、前記部品（１、２）に一体に形成され、前記フック（５）間の長さは、前記フックが取り付けられる前記ループ（４）間の有効長さ以下である
ことを特徴とする請求項１記載の装置。
【請求項３】
前記フック（５）の一方は、対応するループ（４）上で閉じられるリンクを構成し、
前記フック（５）が、前記ループ（４）から、外れることを防止する
ことを特徴とする請求項２記載の装置。
【請求項４】
前記弾性要素（３）は、
その最短位置において、前記部品（１、２）の後に隠れ、
その最長位置において、前記弾性要素（３）は離間した前記部品（１、２）の間にあり、
前記弾性要素（３）は、ゴム製ストリップで形成され、一連のブッシング（６）でカバーされ、
前記ブッシング（６）は、金属製であり、
前記弾性要素（３）は、締め付け装置の前面から見える
ことを特徴とする請求項１−３のいずれかに記載の装置。
【請求項５】
前記部品（１、２）は、裏面で、軸（７−７’）を有し、
前記軸は、前記弾性要素の端部に選択的に取り付けられ、
前記軸（７−７’）は、一対にグループ分けされ、グリップ（８）で固定され、
前記グリップ（８）は、前記軸（７−７’）が挿入されるホールを有する
ことを特徴とする請求項３記載の装置。
【請求項６】
前記部品（１、２）は、その裏面で、均等に分布したオリフィスを具備する縦方向の小さな壁を組み込み、
前記オリフィス内に前記弾性要素（３）の自由端が選択的に取り付けられ、
前記自由端は、前記フックとして構成される
ことを特徴とする請求項３記載の装置。
【請求項７】
前記部品（１、２）は、前記フック（５）が、完全に隠れる大きさである
ことを特徴とする請求項２記載の装置。
【請求項８】
前記弾性要素（３）は、クリップ（１０）を具備し、
前記クリップ（１０）が、前記締め付け装置を衣服に取り付る
ことを特徴とする請求項２記載の装置。
【発明の詳細な説明】
【技術分野】
【０００１】
本発明は、衣類（例、ズボン）をユーザの腰周りに固定する、即ち衣類をユーザの体に留める付ける装置に関する。この締め付け（留め付け）装置は、ズボンのウエストの位置に配置されたループ（そこにベルトを通す）、溝、又は他の類似の要素を利用する。
【背景技術】
【０００２】
衣類（特に、ズボン）の締め付け装置は、古くから公知であり、特許文献１に開示されている。同文献の締め付け装置は、バックルを有し、従来のベルトに類似し、ベルトの場合のように、それ自身の上では重ならない。この締め付け装置は、２つの部品から形成され、ズボンのウエストのバンドの半分の周囲に作用し、ボタンとボタンホールにより、ズボンに取り付けられる。
【０００３】
この締め付け装置の外観と特徴は、ユーザに従来のベルトと同様な性能を提供する。
【０００４】
より進化した形態の締め付け装置が特許文献２に開示されている。同文献の締め付け装置は、ズボンの一対のループを用いる１本の紐状部品で構成される。各端部において、”Velcro（オランダのベルクロ社の登録商標：２枚一組の布の着脱や取り付けが簡単で、サイズ調節もできる。）”式の取り付け要素を有する。この取り付け要素が、紐状部品をその上に保持することにより、それぞれのループに固定される。ここに開示された締め付け装置は、心地よく使用できず、締め付け具というよりも装飾品として設計されたものである。この締め付け具は、通常一対でウエストの両側で使用される。この締め付け具は、本来は装飾品であり、ウエストの周囲で衣類の見栄えを改善するが、ユーザの身体に衣類を固定する為の締め付け具としては機能していない。
【０００５】
特許文献３に開示された最新の解決方法は、締め付け装置そのものである、即ち装飾品ではない。この締め付け具は、衣類上の一対のループを使用する。この締め付け装置は、リング形状の２つの部品で形成され、このリングがループに固定される。このリングの一方に不動に固定されるものは、ベルトである。このベルトが対応する部分を通過して、他のループまで届き、それ自身の上に重なりあい、中央のバックルと共働して安定化する。この締め付け装置は、従来のベルトの外観を呈する締め付け装置であり、特にユーザのズボンがジャケットで隠れた時にはそうである。さらにまた、ループへの固定システムにより、これらの締め付け装置は、全体を見ることができ、明らかな変形を受けるが、これは、締め付け装置の引っ張り効果によるものである。この締め付け装置は、あまり好ましくない跳ね返りを有する。
【０００６】
特許文献４に、中央要素により形成された衣類への締め付け装置が開示されている。この中央要素は、締め付け装置の装飾用の支持部材と、各端部で伸びる適宜の長さの中央要素とを有する。この中央要素には、結合要素即ちフック要素を具備し、これらはそれぞれのループ（それ自身の上に重なりあった後方部分に取り付けられる）を通り、再び中央要素に達し、その裏で結合／固定される。これらの全てに、必要な引っ張り力が加わり、目的とする結合（締め付け）効果を達成している。
【０００７】
上記した改善により、締め付け装置の見栄えが良くなり取り扱い易くなっている。しかし依然として、ループの外観とループに締め付け装置を固定する手段、締め付け装置の長さの調節が不可能である点、ウエストの形状に締め付け装置を調整することが困難である点、特に、ループが離れている時に、一連の問題が存在する。
【先行技術文献】
【特許文献】
【０００８】
【特許文献１】米国特許第１０１７５４４号公報
【特許文献２】米国特許第４８００５９４号公報
【特許文献３】米国特許第５５６６３９７号公報
【特許文献４】特開第２００５０２１７３号公報
【発明の概要】
【発明が解決しようとする課題】
【０００９】
本発明の目的は、ズボンのループ間の様々な距離に適合でき、その使用時の長さを調節できる装置を提供することである。具体的には、その部品の弾性特徴により、装置の長さを変化させ、その外見を美しく見せるような要素に適合する締め付け装置を提供することである。
【００１０】
本発明の目的は、締め付け装置を組み立てる為に使用されるループ及び締め付け装置がループに取り付けられる部品／方法を提供し、締め付け装置（弾性部品）を隠し、最適な見栄えを提供することである。本発明は衣類のアクセサリーにもなる。
【課題を解決するための手段】
【００１１】
本発明の締め付け装置は、新たな技術を提供する。本発明により締め付け装置の弾性機能は、中央要素に移す。この中央要素を調整して、ループ間の変動する距離にかかわらず、締め付けの程度を適切に維持する。このループ間の距離は、同一のユーザでも、着用される衣類で異なる。
【００１２】
これを達成する為に、より特殊な方法として、上記の中央要素を２つの部分に分割する。この２つの部分を互いに弾性部品で連結する。この弾性部品は、前記２つの部分のそれぞれに動かないよう、固定される。
【００１３】
本発明の最後の特徴は、前記の弾性要素が、中央要素の２つの部分にその長さ方向で異なった点で固定されることである。その結果、締め付け装置の有効長さが変わり、これにより大きく変動する長さの締め付け装置を提供できる。
【００１４】
本発明のさらなる特徴は、弾性要素が目に見え、時に中央部品の美的外観を改善する。この為に、これらは、他の部品で置換してもよく、締め付け装置の有効長さのみならずその外観も変えることができる。
【００１５】
本発明のさらなる特徴は、中央要素の２つの半分の部品に取り付けられる弾性部品を有する。この弾性部品の一方は、それをズボンあるいは衣服に固定する要素（例、クリップ）を具備する。変形がループ間の衣服の領域で発生しない。このループに、締め付け装置が変形部品として固定され、全体の外観上の後続の跳ね返りを有する。かくして締め付け装置は、衣服のウエスト部分に完全に装着される。
【００１６】
本発明の一実施例によれば、回転可能な軸方向の整合が、中央要素の各半分の一方の上に、好ましくは分離して、確立される。これらの部品の数は、半分の部品の間に取り付けられる弾性要素の数に一致する。各弾性要素は、その一端でボタンホールあるいは他のオリフィス（穴）を有する。このボタンホールとオリフィスが、回転要素を安定して収納する。各回転部品が選択されるに従って、締め付け装置の様々な有効長さが得られ、その後に弾性的に伸ばすことができる。
【００１７】
中央要素の各半分は、ループ又は衣類上の類似の要素に各半分を固定する手段として、剛性フックを組み込む。この剛性フックは、好ましい幅でループの有効長さほど広くはない。このフックの上記の寸法の目的は、それぞれのループの変形を最小にして、その全体又は全長に取り付けることである。前記のループは隠されるが、それは上記のループが中央要素のそれぞれの半分の外側エッジの下に来るからである。
【００１８】
これらのフックの一方は、クロスアーム（cross-arm）クリップを構成する。これにより締め付け装置が衣類に取り付けられるが、これは他端が衣類から分離している時でも衣類に引っ掛けている。かくして、偶発的に落ちることはない。
【００１９】
中央要素の２つの半分の部品をリンクする弾性要素は複数個あり、その中央領域で互いに独立している、あるいは関連している。そして１つの部品の形態であり、これにより、中央要素の２つの半分の部品が分離された時でも見ることのできる美的外観を向上させる。締め付け装置を美的に向上させるために、他の部品で置き換えることもできる。
【図面の簡単な説明】
【００２０】
【図１】本発明の一実施例の衣類の締め付け装置の正面図。
【図２】図１の締め付け装置の背面図。
【図３】本発明の他の実施例の締め付け装置の正面図で、前記締め付け装置を最大長さにした状態を表す図。
【図４】図３の締め付け装置の背面図。
【図５】図１の締め付け装置の上面図。
【発明を実施するための形態】
【００２１】
図面を参照すると、本発明の締め付け装置は、中央要素で形成される。この中央要素は、装飾された平坦な部品である部品１，２に分割される。前記部品１、２は、図１、２では一部重なっており、図３、４では離れている。部品１、２は、弾性要素３で連結されている。この弾性要素３は、ゴム製のストリップ（紐、細長い片）で、前記部品１，２を引き付けている。
【００２２】
図５に示すように、部品１、２は、ズボンの２つのループ４に取り付けられる。部品１、２は、それぞれその裏面にフックであるアタッチメント５を有する。このフック５は、かぎ状でループ４に取り付け可能であり、２つのフック５間の長さは、２つのループ４間の有効長さよりも若干短く、弾性要素３の変形は最小となる。
【００２３】
これらのフック５は、ヒンジ機構、即ち、閉めた弾性クリップの形態（即ちフック５をループ４に永続的に固定する構造）を具備する。これにより、締め付け装置が、他方のフック５（とループ４）から分離した時に、締め付け装置は、フック５はループ４に取りつけられたままであるので、ズボンに取り付けられたままになる。必要な時には、クリップあるいはヒンジを開くことにより、離すことができる。これにより、衣類がウエストの位置で偶発的に開いた時に、締め付け装置が落下するのを防止する。
【００２４】
弾性要素３は、金属製の複数の管状要素６と組み合わることにより、ソケットの形態を採る。ソケットは、締め付け装置の外観に影響を及ぼすように装飾的であり、特に図３、４に示すように、最大長さの時に装飾的機能を発揮する。ソケットは、単なる一実施例で、弾性要素３を、締め付け装置の外観を形成するような他の構造で置換できる。
【００２５】
弾性要素３を、部品１、２に対し「段階的に」位置調整を可能にする為に、図に示した実施例においては、部品１、２の裏面に、一対の軸７−７’を複数個形成し、これを選択的に用いる。弾性要素３を一対にグループ分けに（その結果、２個の対ができる）する。その対の弾性要素３は、この弾性要素３を収納する装飾的な管状要素６を介して、平坦なグリップ８の対の手段で、部品１，２の端部に固定される。このグリップ８は、互いに離れおり、弾性要素３と複数個のオリフィス９と共に、軸７のいずれかに選択的に取り付けられる。具体的に説明すると、軸７が一対の管状要素６の間に入り込むことにより、弾性要素３（即ち管状要素６）を部品１又は２に固定する。
【００２６】
かくして、本発明の締め付け装置は、図１の短い配置位置から、図３に示す位置まで長くなる。これら２つの位置のいずれかからも、弾性要素３を変形する即ち弾性的に伸ばし、ユーザのウエストにループ４に、適宜の引っ張り力を与えることができる。このループ４に、フック５が引っかけられる。
【００２７】
上記した部品１，２に弾性要素３を固定する措置は、本発明の単なる一実施例である。前記固定措置の位置を調整する方法は、部品１、２の裏面上に配置された適宜の複数の穴を開けた縦方向の「飾り（plaques)」で実現することもできる。この穴に、弾性要素３の端部のあるフックが配置される。これは、弾性的に収納可能なピン、又は他の適宜の手段を用いて行われる。
【００２８】
図から判るように、部品１、２の構造は、フック５が完全に隠れるよう、それ故に、フック５が取り付けられるループ４も完全に隠れるよう、構成される。その結果、フック５の寸法にかかわらず、ループ４内の目に見える変形を回避できる。このような変形が起こる場合でも、この変形は、図１、３に示すように、着衣した場合目では見えない。
【００２９】
本発明の変形例として、弾性要素３は上部位置を占有する。装飾的要素の上部領域と中間領域に、図５に示すようなクリップ１０が、配置される。この装飾的要素は、弾性要素をカバーする管状要素６を置換する。クリップ１０を取り付ける目的は、ズボンあるいは衣服のベルトの上部エッジに、その前面と中央面で引っ掛ける。かくして、本発明の衣類の締め付け装置を衣類に取り付ける（留める）際の安定性が達成できる。本発明の衣類の締め付け装置が衣類の上部エッジに取り付けられ、２つのループの間でズボンが下がるのを防止できる。
【００３０】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈する為に用いてはならない。また、同一番号でも明細書と特許請求の範囲の部品名は必ずしも同一ではない。これは上記した理由による。
【符号の説明】
【００３１】
１  部品
２  部品
３  弾性要素
４  ループ
５  フック
６  管状要素
７  ピボット
８  グリップ
９  オリフィス
１０  クリップ
【図１】
2010516418.tif 000003
【図２】
2010516418.tif 000004
【図３】
2010516418.tif 000005
【図４】
2010516418.tif 000006
【図５】
2010516418.tif 000007
【国際調査報告】
2010516418.tif 000008
2010516418.tif 000009
2010516418.tif 000010
2010516418.tif 000011
2010516418.tif 000012
2010516418.tif 000013